(57)【要約】【目的】小型で持ち運びに便利てあり、何処でも設置でき而も簡単に組み立てることができ、かつ人目にも付き易い標識装置を提供しようとするものである。【構成】標識を配置する枠体を、気体の圧入によつて膨らんで形態維持するような門型枠で構成すると共に、この門型枠の両側支柱部の根元部は、四角型収納箱の上側蓋板部に配置し、それぞれ両側方向に開閉自在に設けた蓋板の裏側にそれぞれ取り付けて構成し、標識を中断するときは、門型枠内の気体を抜いて、折り畳み自在にすると共に、折り畳みながら収納箱内に収納し、両側蓋板と共に折り畳み収納するょうに構成したものである。【選択図】  図１
2004190460.tif 000002
【特許請求の範囲】
【請求項１】
四角形の収納箱に折り畳んで収納され、空気等ガス体の送入によって膨らんでアーチ型の門型枠を形成し、該門型枠内に標識を配置する標識装置であって、該門型枠の左右両支柱部の根元部はそれぞれ折畳み収納箱の頂面側蓋板の一部に開閉自在に設けた開閉蓋板の裏側にそれぞれ取り付け、ガス体の導入によって門型枠を形成すると共に格納時は門型枠のガス体を抜いて門型枠を折り畳んで収納箱に納めるように構成したことを特徴とする標識装置。
【請求項２】
四角形の収納箱に折り畳んで収納され、空気等ガス体の送入によって膨らんでアーチ型の門型枠を形成し、該門型枠内に標識を配置する標識装置であって、該門型枠の左右両支柱部の根元部はそれぞれ折り畳み収納箱の頂面側蓋板の一部に開閉自在に設けた開閉蓋板の裏側にそれぞれ取り付け、ガス体の導入によって門型枠を形成すると共に格納時は門型枠のガス体を抜いて門型枠を折り畳んで収納する収納箱は、その前後面側に脚杆を突出自在に設けたものである請求項１に記載した標識装置。
【請求項３】
請求項１，および請求項２に記載した門型枠の枠内に配置する標識は、枠内に配置した網状ネットに可撓性材料からなる標識を取り付けたものである請求項１および請求項２記載の標識装置。
【発明の詳細な説明】
【０００１】
【産業上の利用分野】
土木工事や道路工事業者は勿論のこと、自動車の故障中を知らせる等標識装置等を必要とする業者間で広く利用できるものであり、看板や標識装置を製造し、或いは販売する取り扱い業者で利用できるものである。
【０００２】
【従来の技術】
土木工事業者や道路工事業者等間では、危険場所或いは立入禁止等各種の看板標識が利用されている。また自動車の故障中を知らせる標識は小さくて見つけ難い欠点が指摘されているものがある。これらの標識は一般に打設した杭に標識板を取り付けたり或いは標識装置を組立枠に取り付けて立設しているが、運搬に不便あったり、設置に時間を要したり、大形化が出来ない等の欠点が指摘されている。
【０００３】
【発明が解決しようとする課題】
これらから運搬に便利でありしかも設置に手間を要せず、かつ大型化できて人目に就き易いような標識装置を提供しようとするものである。
【０００４】
【課題を解決するための手段】
四角形の収納箱に折り畳んで収納され、空気等ガス体の送入によって膨らんだアーチ型の門型枠を形成し、該門型枠内に標識を配置する標識装置であって、該門型枠の左右両支柱部の根元部はそれぞれ収納箱の頂面側蓋板を構成する蓋板に開閉自在に設けた開閉蓋板の裏側にそれぞれ取り付けて構成し、ガス体の送入によって門型枠を形成すると共に格納時はガス体を抜いて門型枠を折畳み、開閉蓋板とともに収納箱内に納めるように構成したものである。
【０００５】
【実施例】
以下図面に基づいて本発明を詳細に説明するが、図は本発明の具体的な実施の一例を示したもので、本発明は図示例に限定されず以下説明する範囲において設計を変更したり或いは一部の構成を変更しても同様に実施することができる。
図１（正面図）、図２（一部省略平面図）及び図３（図１の右側面図）は本発明標識装置の一例を示したものである。これらの図において、１は収納箱を示しており、該収納箱１の蓋板の一部は２枚の蓋板２，２ａがそれぞれ収納箱１の側面側に蝶番で扇形に開閉自在に設けられている。そしてこれらの蓋板２，２ａは互いに重なって収納箱１に納まり、蓋板２が収納箱１の蓋板となって閉塞するようになっている。またこれらの蓋板２，２ａの幅寸法は図２に示すように、収納箱１の頂面側蓋板の中央部分を構成している。１ａは収納箱の手掛け用孔、１ｂは後述する脚杆９の収納凹部である。
【０００６】
他方３で示す門型枠は、薄いゴムあるいはビニール等合成樹脂材で成形した筒体を互いに接合して支柱部３，３ｂと鴨居部３ａとて構成し、ガスや空気等のガス体の送入によって膨らんで図示のように門型枠を形成するようになっている。従ってガス体を抜いたときは形を崩して、折り畳み自在になる。一方このような門型枠の支柱部３，３ｂの根元部は、それぞれ蓋板２，２ａの裏側に輪具８，８を介して気密的に取り付けられ、支柱部３側は蓋板２に通し孔を形成してガス体導入口３ｃを設けている。なおこれらの取り付けは輪具８を利用したものを示したが、他の適当な取り付け接合手段を利用してもよい。また両蓋板２，２ａの一部両側辺側には側壁板７，７をそれぞれ設けて、折り畳んで収納する門型枠の保護ならびに整理に役立つように構成している。
【０００７】
一方このような収納箱１では門型枠を膨らませて組み立てたとき不安定のおそれがあるので収納箱１の前後には安定支持用の脚杆を設けることが推奨される。図では突出脚杆を金属棒で形成した脚杆９，９，９，９を示しており、これら脚杆９はそれぞれ先端側を折り曲げ、後端側はＴ字型部９ａを形成して収納箱１内に格納し、かつ図２および図３に示すように突出指向させて全体を安定支持するようになっている。即ち脚杆９はそれぞれ収納箱１の両側に形成した挿入孔１０，１０（図３）へ先端折り曲がり側から挿入して前記Ｔ字型部９ａをこの挿入孔１０の奥部分に係留させると共に脚杆９を開くときは、このＴ字型部９ａが挿入孔の奥部で枢支されるようになっている。また脚杆９は不用時は収納箱１の前記凹部１ｂに納まるようになっている。
【０００８】
他方門型枠内に設ける標識は、図１に示すように支柱部分３，３ｂ及び鴨居部３ａの内側部分に、取付片４をそれぞれ接着等で取り付け、これらの取付片４の間にネット５を縫合或いは接着して張設する。そして図では標識６として三角形の「故障中」を例示しており、この標識６は反射剤を塗布した布巾で構成したものを示しており、ネット５に接着或いは縫着している。なおこれらネット５および標識６は可撓性材料で形成し、容易に折り畳むことができるものであることが必要である。またこの折り畳み標識を整然としかも安全に収納箱の収納部に格納するにあたっては蓋板２，２ａの支柱部取り付け面の、両側面の一部に側突壁７，７を設けておくことが好都合である。
【０００９】
図４（正面図），図５（平面図），図６（底面図）及び図７（図５の左側側面図）は収納箱１に折り畳んだ標識を収納した状態を、拡大すると共に要部を破断して示したものである。これらの図において折り畳んだ標識は図４に示すように蓋板２ａの先端側を３ｄで示すように迂回して収納される。また前記脚杆９，９は凹部１ｂに納められ、これを安定支持するために弾板からなる止め具９ｂ，９ｂを設けておくことが便利である。そして脚杆９の支持は前記Ｔ字部９ａが挿入孔１０の奥部分で係留されると共に枢支され、図２，図３に示すように突出させたときは、前記凹部１ｂの両側に形成した切り込み係留段部１ｅ，１ｅで支持されるようになっている。図５に示す蝶番２ｂ，２ｂは蓋板２を取り付けており、蝶番２ｃ，２ｃは蓋板２ａを取り付けている。
【００１０】
またこのような標識装置には、門型枠を膨らませるための気圧ボンベイや空気ポンプを備えて置くことが便利である。図６は一般に市販されている足踏み式の空気ポンプ１２を収納箱１の底側空所に配設したものを示している。即ち収納箱１の底側空間に開閉自在な底板１１を設け、使用時にポンプ１２を取り出して使用するものである。図示のポンプ１２は空気取り入れ開閉弁座部１２ａと空気送り出し可撓性パイプ１２ｂから成り、パイプ１２の先端に設けた差し込み口１２ｃを蓋板２側に設けた前記導入口３ｃに挿入して門型枠に空気を圧送入するものである。
【００１１】
なお収納箱１としては、木製のものを示したが、軽金属板で形成したり或いは合成樹脂の一体形成部材を適当に組み合わせて構成してもよく、門型枠に応じた十分な収納空間を形成すれば良い。図７では収納部を底棚板１ｃと壁板１ｄで構成したものを示したが、これらは自由に選択することができるものである。また必要によっては収納箱に、着脱自在であったり或いは退避自在な搬送用車輪を設けて構成してもよい。
【００１２】
図８（平面図）及び図９（正面図）は、本発明の他の実施例を示したもので、図８は標識を折り畳んで収納した状態を示し、図９は組み立てた状態を示していてる。これらの図において、収納箱１の頂面側に設け門型枠３の支柱部を取り付ける開閉蓋板２，２ａは、収納閉塞時互いにその先端が平面状に合うように開閉自在に構成すると共に、この門型枠はアーチ型のものを示している。そして図８に示すように蓋板２ａに取り付ける支柱部には３ｄで示すような空気抜き口を設けておけば、撤収時素早く門型枠を折り畳んで収納することができ、作業時間を短縮できる。１３，１３は収納箱１の固定蓋板である。また収納箱１の安定支持用脚としては、図９に示すように凹部１ｂ内に互いに向かい合って収納される開閉脚１４，１４で構成しても良い、１４ａ，１４ａはそれぞれ脚１４の蝶番である。またこのアーチ型標識枠３内に設ける標識は、前記した例と同じように、取付片４を介してネット５を張設しこれに標識６を取り付けたものを示しているが、必要によって適当な標識としてもよい。このように構成すれば収納箱の折り畳み収納部を広くすることができ、かつ門型枠の支柱取付部も平面状になって見易い。また折り畳み収納部を広くできることによっで、標識立設時この収納部に適当な重垂部材を置く事ができ、標識装置の安定支持に役立てることができる。
【００１３】
【発明の効果】
本発明標識装置はこのように構成したから、小型化することができ、現場に容易に搬送することができ、しかも簡単に組み立てることができる。また標識枠を大形化することができ、人目を引き易い。また門型枠は風によって揺れ動き易いので注目され、標識装置として本来の目的を達成することができる。また撤収に際しては、短時間で収納することができると共にその搬送も容易である。また不使用時は多数を整然と積み重ね配置することができる等従来の標識装置では発揮できなかった効果を得ることができる。また自動車の携帯用標識とするときは小型軽量化でき、門型枠中や収納箱の一部に電球等の照明具を配置すれば、更に効果を発揮することができる。
【図面の簡単な説明】
【図  １】本発明を利用した標識装置の一例を示す正面図。
【図  ２】図１の一部省略平面図。
【図  ３】図１の右側側面図。
【図  ４】収納箱の収納時を示す一部破断正面図。
【図  ５】図４の一部破断平面図。
【図  ６】図４の一部破断底面図。
【図  ７】図４の左側一部破断側面図。
【図  ８】本発明の他の実施例を示す収納箱の平面図。
【図  ９】図８の実施例を組み立てた正面図。
【符号の説明】
１    収納箱
２    蓋板
３    筒体支柱部（門型枠）
３ａ  鴨居部
３ｂ  支柱部
３ｃ  導入口
３ｅ  空気抜き口
４    取付片
５    ネット
６    標識
７    側壁
８    輪具
９    脚杆
１０    挿入孔
１１    底板
１２    空気ポンプ
１３    頂板
１４    開閉脚
【図１】
2004190460.tif 000003
【図２】
2004190460.tif 000004
【図３】
2004190460.tif 000005
【図４】
2004190460.tif 000006
【図５】
2004190460.tif 000007
【図６】
2004190460.tif 000008
【図７】
2004190460.tif 000009
【図８】
2004190460.tif 000010
【図９】
2004190460.tif 000011